(57)【特許請求の範囲】
【請求項１】
所定の第１の数の回線を有する現用系伝送路と所定の第２の数の回線を有する予備系伝送路とに接続され、障害発生時には現用系伝送路の回線を予備系伝送路の回線のいずれかに切り替えて、隣接する他の伝送路切替制御装置との間でデータを伝送する伝送路切替制御装置において、
前記現用系伝送路と前記予備系伝送路とに受信側および送信側から接続され、所定の制御信号に従って前記受信側の伝送路の回線を前記送信側の伝送路の回線に電気的に接続する切替部と、
前記他の伝送路切替制御装置における回線切替の情報、および回線で発生した障害の情報の少なくとも一方に基づいて前記切替部に対する制御信号を生成する第１の制御部と、
ユーザにより設定される受信側の伝送路の回線と送信側の伝送路の回線との接続状態に基づいて前記切替部に対する制御信号を生成する第２の制御部と、
前記第１の制御部により生成された制御信号および前記第２の制御部により生成された制御信号のいずれかを選択し、選択した制御信号を前記切替部に供給する制御信号供給部と
を備えることを特徴とする伝送路切替制御装置。
【請求項２】
第１の制御部は、現用系伝送路の回線および予備系伝送路の回線のうちの所定の数の現用系伝送路の回線と前記所定の数の予備系伝送路の回線に対する制御信号を切替部に直接供給するとともに、残りの回線に対する制御信号を制御信号供給部に出力する
ことを特徴とする請求項１記載の伝送路切替制御装置。
【請求項３】
第２の制御部は、回線ごとに制御信号を生成する
ことを特徴とする請求項１記載の伝送路切替制御装置。
【請求項４】
切替部、第１の制御部、第２の制御部および制御信号供給部は、１組の現用系伝送路の回線および予備系伝送路の回線ごとに設けられる
ことを特徴とする請求項１記載の伝送路切替制御装置。
【請求項５】
第１の制御部は、隣接する他の伝送路切替制御装置における回線切替の情報を受け取り、その情報に基づいて回線ごとに制御信号を生成する
ことを特徴とする請求項１から請求項４のうちのいずれか１項記載の伝送路切替制御装置。
【請求項６】
送信側の伝送路に障害が発生したか否かを回線ごとに監視する監視手段を備え、
第１の制御部は、前記監視手段により検出される障害の有無に基づいて回線ごとに制御信号を生成する
ことを特徴とする請求項１から請求項４のうちのいずれか１項記載の伝送路切替制御装置。
【請求項７】
第１の制御部は、現用系伝送路の回線のうちの複数の回線に障害が発生した場合、各回線に対して予め設定される優先順位に基づいて、優先順位の高い回線を優先して切り替えるための制御信号を生成する
ことを特徴とする請求項６記載の伝送路切替制御装置。
【請求項８】
第１の制御部は、予備系伝送路の回線がすべて使用されている状態で、さらに現用系伝送路の回線において障害が発生した場合、前記予備伝送路の回線に既に切り替えられている現用系伝送路の回線であり、かつ障害が発生した前記現用系伝送路の回線より優先順位が低い回線のうちで最も優先順位の低いものが切り替えられている前記予備系伝送路の回線に、その最も優先順位の低い回線の代わりに、障害が発生した前記現用系伝送路を切り替えるための制御信号を生成する
ことを特徴とする請求項７記載の伝送路切替制御装置。
【請求項９】
所定の第１の数の回線を有する現用系伝送路と所定の第２の数の回線を有する予備系伝送路とに接続された複数の伝送路切替制御装置の間で、障害発生時には現用系伝送路の回線を予備系伝送路の回線のいずれかに切り替えてデータを伝送する伝送路切替制御方法において、
隣接する伝送路切替制御装置における回線切替に関する情報、および回線で発生した障害の情報の少なくとも一方に基づいて第１の制御信号を生成し、
ユーザにより設定される各伝送路の各回線の接続状態に基づいて第２の制御信号を生成し、
前記第１の制御信号および前記第２の制御信号のいずれかを選択し、
選択した制御信号に従って前記各伝送路の各回線の接続状態を設定する
ことを特徴とする伝送路切替制御方法。
【発明の詳細な説明】
【０００１】
【発明の属する技術分野】
この発明は、所定の第１の数の回線を有する現用系伝送路と所定の第２の数の回線を有する予備系伝送路とを介し、障害発生時には現用系伝送路の回線を予備系伝送路の回線のいずれかに切り替えてデータを伝送する伝送路切替制御装置および伝送路切替制御方法に関するものである。
【０００２】
【従来の技術】
図９は例えば特開平９−９８１８１号公報に記載の従来の伝送路切替制御装置の構成を示すブロック図である。図において、１は現用回線２０１ａ，２０１ｂおよび予備回線２０２ａ，２０２ｂに対してクロスコネクトを行う時間スイッチアレイ部（以下ＴＳＡ部という）であり、２ａは、予備回線２０２ａを介して伝送されてくる信号を、パススルー判断手段８からの制御信号に応じてスルーさせるパススルー手段であり、２ｂは、予備回線２０２ｂを介して伝送されてくる信号を、パススルー判断手段８からの制御信号に応じてスルーさせるパススルー手段である。
【０００３】
３ａは現用回線２０１ａに設けられ、かつ予備回線２０２ｂに接続され、入力側の現用回線２０１ａと予備回線２０２ｂのいずれかを出力側の現用回線２０１ａに電気的に接続するスイッチ手段であり、３ｂは現用回線２０１ｂに設けられ、かつ予備回線２０２ａに接続され、入力側の現用回線２０１ｂと予備回線２０２ａのいずれかを出力側の現用回線２０１ｂに電気的に接続するスイッチ手段である。４ａは予備回線２０２ｂに設けられ、かつ現用回線２０１ａに接続され、入力側の予備回線２０２ｂと現用回線２０１ａのいずれかを出力側の予備回線２０２ｂに電気的に接続するブリッジ手段であり、４ｂは予備回線２０２ａに設けられ、かつ現用回線２０１ｂに接続され、入力側の予備回線２０２ａと現用回線２０１ｂのいずれかを出力側の予備回線２０２ａに電気的に接続するブリッジ手段である。
【０００４】
５はライン切替手段１２からの切替指示と回線設定情報に従って、回線単位で、スイッチ手段３ａ，３ｂまたはブリッジ手段４ａ，４ｂの少なくとも一方へ切替指示を供給する切替要否判断手段であり、６は切替情報収集手段１３より回線障害が発生した旨の情報を供給されたときに、スイッチ手段３ａ，３ｂを適宜制御して回線の接続設定を変更する信号救済可否判断手段である。
【０００５】
７は空きの予備回線がなくなり、回線の接続状態を元に戻すと判断した場合に、回線の接続状態を元に戻すようにスイッチ手段３ａ，３ｂおよびブリッジ手段４ａ，４ｂを制御するリユース判断手段であり、８は通信手段９より供給された所定の情報に応じた制御信号を、パススルー手段２ａ，２ｂに供給するパススルー判断手段であり、９はスイッチ手段３ａ，３ｂおよびブリッジ手段４ａ，４ｂにおける接続状態を他の装置に通知する通信手段であり、１０はオーバヘッドマルチプレクサ／デマルチプレクサ１１ａ，１１ｂを介して伝送される信号から抽出される回線使用状況情報を管理する回線使用状況収集手段である。回線使用状況情報は、回線設定がなされている両端の装置を識別するための情報であり、回線毎に設けられている。
【０００６】
１１ａおよび１１ｂは、隣接する他の装置との間で各種制御情報の授受を実行するオーバヘッドマルチプレクサ／デマルチプレクサであり、１２は切替情報収集手段１３より供給される情報に基づいて回線を切り替えるか否かを判断するライン切替手段であり、１３はオーバヘッドマルチプレクサ／デマルチプレクサ１１ａ，１１ｂを介して隣接する他の装置から供給される回線の切替情報を受け取るとともに、障害検出手段１４により検出された障害情報を受け取り、これらの情報をライン切替手段１２に供給する切替情報収集手段であり、１４は回線の障害を検出する障害検出手段である。
【０００７】
次に動作について説明する。
通常動作時においては、現用回線２０１ａ，２０１ｂを介して各種データの伝送が実施される。
【０００８】
そして回線に障害が発生した場合には、オーバヘッドマルチプレクサ／デマルチプレクサ１１ａ，１１ｂを介して他の装置から回線の切替情報または障害検出手段１４により検出された障害情報が切替情報収集手段１３に供給される。切替情報収集手段１３は、供給された情報をライン切替手段１２に供給し、ライン切替手段１２は、障害箇所を回避するために、自装置のスイッチ手段３ａ，３ｂおよびブリッジ手段４ａ，４ｂで回線を切り替えるか否かを判断し、スイッチ手段３ａ，３ｂおよびブリッジ手段４ａ，４ｂで回線を切り替えると判断した場合には、そのために必要な情報を切替要否判断手段５，信号救済可否判断手段６およびリユース判断手段７に供給する。切替要否判断手段５，信号救済可否判断手段６およびリユース判断手段７は、ライン切替手段１２からの情報に基づいてスイッチ手段３ａ，３ｂおよびブリッジ手段４ａ，４ｂで回線を切り替える。
【０００９】
このようにして、回線に障害が発生した場合には、伝送路の接続状態が変更され、現用回線２０１ａ，２０１ｂを介して伝送される信号が、変更後の回線を介し、障害発生箇所を回避して伝送される。
【００１０】
なお、所定の第１の数の回線を有する受信側および送信側の現用系伝送路と所定の第２の数の回線を有する受信側および送信側の予備系伝送路とに接続され、障害発生時には現用系伝送路の回線を予備系伝送路の回線のいずれかに切り替えて、隣接する他の伝送路切替装置との間でデータを伝送する他の従来の伝送路切替制御装置としては、例えば特開平９−８３４９６号公報に記載の装置などがある。
【００１１】
【発明が解決しようとする課題】
従来の伝送路切替制御装置は以上のように構成されているので、障害発生時に伝送路の切替を実行する部位（切替要否判断手段５〜障害検出手段１４）が故障した場合や、隣接する装置のオーバヘッドマルチプレクサ／デマルチプレクサ１１ａ，１１ｂを接続するネットワークに障害が発生し、切替情報が正確に収集することが困難である場合、伝送路の接続が適当ではなくなる可能性があるという課題があるとともに、例えば障害発生時などにおける装置の保守を実行する場合において、さらに他の障害が発生すると伝送路の切替が発生してしまい、障害箇所の特定や修理などの保守作業の進行を妨げる可能性があるという課題があった。
【００１２】
この発明は上記のような課題を解決するためになされたもので、他の伝送路切替装置における回線切替の情報または障害の情報に基づいて第１の制御信号を生成するとともに、ユーザにより設定された回線の接続状態に基づいて第２の制御信号を生成し、必要に応じて適宜いずれかの制御信号を選択し、その制御信号に従って各回線の接続状態を設定するようにして、保守作業時には、ユーザにより設定された接続状態に固定することにより、迅速に保守作業を実行することができるようにし、障害が継続する時間を低減して回線の信頼性を向上させる伝送路切替制御装置および伝送路切替制御方法を得ることを目的とする。
【００１３】
【課題を解決するための手段】
この発明に係る伝送路切替制御装置は、現用系伝送路と予備系伝送路とに受信側および送信側から接続され、所定の制御信号に従って受信側の伝送路の回線を送信側の伝送路の回線に電気的に接続する切替部と、他の伝送路切替装置における回線切替の情報、および回線で発生した障害の情報の少なくとも一方に基づいて切替部に対する制御信号を生成する第１の制御部と、ユーザにより設定される受信側の伝送路の回線と送信側の伝送路の回線との接続状態に基づいて切替部に対する制御信号を生成する第２の制御部と、第１の制御部により生成された制御信号および第２の制御部により生成された制御信号のいずれかを選択し、選択した制御信号を切替部に供給する制御信号供給部とを備えるものである。
【００１４】
この発明に係る伝送路切替制御装置は、第１の制御部が、現用系伝送路の回線および予備系伝送路の回線のうちの所定の数の現用系伝送路の回線と所定の数の予備系伝送路の回線に対する制御信号を切替部に直接供給するとともに、残りの回線に対する制御信号を制御信号供給部に出力するものである。
【００１５】
この発明に係る伝送路切替制御装置は、第２の制御部が回線ごとに制御信号を生成するものである。
【００１６】
この発明に係る伝送路切替制御装置は、１組の現用系伝送路の回線および予備系伝送路の回線ごとに、切替部、第１の制御部、第２の制御部および制御信号供給部が設けられるものである。
【００１７】
この発明に係る伝送路切替制御装置は、第１の制御部が、隣接する他の伝送路切替装置における回線切替の情報を受け取り、その情報に基づいて回線ごとに制御信号を生成するものである。
【００１８】
この発明に係る伝送路切替制御装置は、送信側の伝送路に障害が発生したか否かを回線ごとに監視する監視手段を備え、第１の制御部が、監視手段により検出される障害の有無に基づいて回線ごとに制御信号を生成するものである。
【００１９】
この発明に係る伝送路切替制御装置は、現用系伝送路の回線のうちの複数の回線に障害が発生した場合、第１の制御部が、各回線に対して予め設定される優先順位に基づいて、優先順位の高い回線を優先して切り替えるための制御信号を生成するものである。
【００２０】
この発明に係る伝送路切替制御装置は、予備系伝送路の回線がすべて使用されている状態で、さらに現用系伝送路の回線において障害が発生した場合、予備伝送路の回線に既に切り替えられている現用系伝送路の回線であり、かつ障害が発生した現用系伝送路の回線より優先順位が低い回線のうちで最も優先順位の低いものが切り替えられている予備系伝送路の回線に、その最も優先順位の低い回線の代わりに、障害が発生した現用系伝送路を切り替えるための制御信号を第１の制御部が生成するものである。
【００２１】
この発明に係る伝送路切替制御方法は、隣接する伝送路切替装置における回線切替に関する情報、および回線で発生した障害の情報の少なくとも一方に基づいて第１の制御信号を生成し、ユーザにより設定される各伝送路の各回線の接続状態に基づいて第２の制御信号を生成し、第１の制御信号および第２の制御信号のいずれかを選択し、選択した制御信号に従って各伝送路の各回線の接続状態を設定するものである。
【００２２】
【発明の実施の形態】
以下、この発明の実施の一形態を説明する。
実施の形態１．
図１は、この発明の実施の形態１による伝送路切替制御装置の構成を示すブロック図であり、図２は、実施の形態１による伝送路切替制御装置における伝送路切替部２１ａ〜２１ｄおよび自動切替制御部２２の詳細な構成例を示すブロック図である。図において、２１ａ〜２１ｄは、所定の数の回線を有する現用系伝送路１０１ａ，１０１ｂのいずれかの回線と所定の数の回線を有する予備系伝送路１０２ａ，１０２ｂのいずれかの回線とにそれぞれ接続され、切替モード選択部２５からの制御信号に従って、現用系伝送路１０１ａ，１０１ｂの回線と予備系伝送路１０２ａ，１０２ｂの回線との接続状態を設定する伝送路切替部（切替部）である。例えば、伝送路切替部２１ａ〜２１ｄは、図２に示すように上述のＴＳＡ部１、パススルー部２ａ，２ｂ、スイッチ部３ａ，３ｂおよびブリッジ部４ａ，４ｂで構成される。この場合、切替モード選択部２５からの制御信号がＴＳＡ部１、パススルー部２ａ，２ｂ、スイッチ部３ａ，３ｂおよびブリッジ部４ａ，４ｂに供給され、各部がその制御信号に従って動作する。
【００２３】
２２は、障害検出手段１４により検出される現用系伝送路１０１ａ，１０１ｂの回線や予備系伝送路１０２ａ，１０２ｂの回線における障害情報や監視制御用マルチプレクサ／デマルチプレクサ２３ａ，２３ｂを介して隣接する他の装置から供給される回線の切替情報に基づいて、伝送路切替部２１ａ〜２１ｄにおける回線の接続状態を自律的に決定し、決定した接続状態に対応する制御信号第１の制御信号）を切替モード選択部２５に出力する自動切替制御部（第１の制御部）である。例えば、自動切替制御部２２は、図２に示すように上述の切替要否判断手段５、信号救済可否判断手段６、リユース判断手段７、パススルー判断手段８、通信手段９、回線使用状況収集手段１０、ライン切替手段１２および切替情報収集手段１３で構成される。この場合、通信手段９、回線使用状況収集手段１０および切替情報収集手段１３は監視制御用マルチプレクサ／デマルチプレクサ２３ａ，２３ｂに接続され、隣接する装置とのデータの授受を実行し、切替要否判断手段５、信号救済可否判断手段６、リユース判断手段７およびパススルー判断手段８は切替モード選択部２５に接続され、隣接する装置からの切替情報や障害情報に基づいて伝送路切替部１の各部に対する制御信号を生成し切替モード選択部２５に出力する。
【００２４】
２３ａ，２３ｂは、隣接する装置の監視制御用マルチプレクサ／デマルチプレクサ２３ｂ，２３ａに接続され、隣接する装置との間で回線の切替情報の授受を実行する監視制御用マルチプレクサ／デマルチプレクサである。
【００２５】
２４は、ユーザにより操作される図示せぬスイッチ群やコンピュータなどの操作部に接続され、ユーザにより設定される回線の接続状態に対応して伝送路切替部２１ａ〜２１ｄに対する制御信号（第２の制御信号）を生成し、切替モード選択部２５に出力する手動切替制御部（第２の制御部）であり、２５は、自動切替制御部２２からの制御信号と、手動切替制御部２４からの制御信号とを受け取り、ユーザによる選択に基づいて、それらの制御信号のいずれかを伝送路切替部２１ａ〜２１ｄにそれぞれ供給する切替モード選択部（制御信号供給部）である。
【００２６】
１４は、各回線を介して伝送される信号が所定の時間以上途絶えた場合や、隣接する装置との間で監視制御用マルチプレクサ／デマルチプレクサ２３ａ，２３ｂにより送受信される監視制御用信号に誤り検査符号に基づく誤りが発生した場合などに障害が発生したと判断し、その障害に対応する障害情報を自動切替制御部２２に供給する障害検出手段である。
【００２７】
次に動作について説明する。
自動切替制御部２２は、障害検出手段１４により検出される現用系伝送路１０１ａ，１０１ｂの回線や予備系伝送路１０２ａ，１０２ｂの回線の障害情報や監視制御用マルチプレクサ／デマルチプレクサ２３ａ，２３ｂを介して隣接する他の装置から供給される回線の切替情報に基づいて、伝送路切替部２１ａ〜２１ｄにおける回線の接続状態を自律的に決定し、決定した接続状態に対応する制御信号を切替モード選択部２５に出力する。
【００２８】
一方、手動切替制御部２４は、ユーザにより設定される回線の接続状態に対応して伝送路切替部２１ａ〜２１ｄに対する制御信号を生成し、切替モード選択部２５に出力する。
【００２９】
そして、切替モード選択部２５は、自動切替制御部２２からの制御信号と、手動切替制御部２４からの制御信号とを受け取り、ユーザによる切替モード選択部２５に基づいて、それらの制御信号のいずれかを伝送路切替部２１ａ〜２１ｄにそれぞれ供給する。
【００３０】
通常運用時においては、自動切替制御部２２により自律的に生成した制御信号を伝送路切替部２１ａ〜２１ｄに供給するように切替モード選択部２５を動作させ、障害発生時などの保守や点検を実行する場合には、ユーザにより設定される回線の接続状態に対応して手動切替制御部２４により生成された制御信号を一括して伝送路切替部２１ａ〜２１ｄに供給するように切替モード選択部２５を動作させる。
【００３１】
以上のように、この実施の形態１によれば、切替モード選択部２５を適宜操作することにより、ユーザによる操作に基づいて回線の接続状態が設定されるようにしたので、保守作業時には、ユーザにより設定された接続状態に固定することにより、迅速に保守作業を実行することができるようにし、障害が継続する時間を低減して回線の信頼性を向上させることができるという効果が得られる。
【００３２】
実施の形態２．
図３は、この発明の実施の形態２による伝送路切替制御装置の構成を示すブロック図である。この実施の形態２においては、一部の伝送路切替部（図３においては伝送路切替部２１ａだけ）は、切替モード選択部２５を介さずに自動切替制御部２２に直接接続される。その他の構成要素については、実施の形態１によるもの（図１）と同様であるので、その説明を省略する。
【００３３】
次に動作について説明する。
自動切替制御部２２に接続された伝送路切替部２１ａには、自動切替制御部２２により自律的に生成された制御信号が常に供給される。その他の伝送路切替部２１ｂ〜２１ｄには、切替モード選択部２５の動作に応じて、手動切替制御部２４により生成された制御信号、または自動切替制御部２２により生成された制御信号が供給される。その他の動作については、実施の形態１によるものと同様であるので、その説明を省略する。
【００３４】
以上のように、この実施の形態２によれば、接続状態の固定が必要な回線についてだけ接続状態が設定されるようにしたので、他の伝送路において不要な切替動作が発生せず、障害発生時の回線の信頼性がより向上することができるという効果が得られる。
【００３５】
実施の形態３．
図４は、この発明の実施の形態３による伝送路切替制御装置の構成を示すブロック図である。図において、２５ａ〜２５ｄは、各伝送路切替部２１ｉ（ｉはａ〜ｄのいずれか）にそれぞれ接続され、手動切替制御部２４により生成された制御信号および自動切替制御部２２により生成された制御信号のいずれかを、伝送路切替部２１ｉ毎に供給する切替モード選択部（制御信号供給部）である。その他の構成要素については、実施の形態１によるもの（図１）と同様であるので、その説明を省略する。
【００３６】
次に動作について説明する。
切替モード選択部２５ａ〜２５ｄは、手動切替制御部２４により生成された制御信号および自動切替制御部２２により生成された制御信号のいずれかを、伝送路切替部２１ｉ毎に供給する。すなわち、切替モード選択部２５ａ〜２５ｄを適宜操作することにより、伝送路切替部２１ａ〜２１ｄに供給される制御信号は、伝送路切替部２１ｉ毎に、手動切替制御部２４により生成された制御信号および自動切替制御部２２により生成された制御信号のいずれかに選択される。その他の動作については、実施の形態１によるものと同様であるので、その説明を省略する。
【００３７】
以上のように、この実施の形態３によれば、実施の形態２と同様に、接続状態の固定が必要な伝送路についてだけ、接続状態が設定されるようにしたので、他の伝送路において不要な切替動作が発生せず、障害発生時の回線の信頼性がより向上することができるという効果が得られる。
【００３８】
実施の形態４．
図５は、この発明の実施の形態４による伝送路切替制御装置の構成を示すブロック図である。図において、２４ａ〜２４ｄは、ユーザにより操作される図示せぬスイッチ群やコンピュータなどの操作部に接続され、ユーザにより設定される各伝送路切替部２１ｉ（ｉはａ〜ｄのいずれか）での回線の接続状態に対応して伝送路切替部２１ｉの各部に対する制御信号を生成し、各切替モード選択部２５ｉにそれぞれ出力する手動切替制御部（第２の制御部）である。その他の構成要素については、実施の形態３によるもの（図４）と同様であるので、その説明を省略する。
【００３９】
次に動作について説明する。
各手動切替制御部２４ｉは、ユーザにより設定される各伝送路切替部２１ｉでの回線の接続状態に対応して伝送路切替部２１ｉの各部に対する制御信号を生成し、各切替モード選択部２５ｉにそれぞれ出力する。
【００４０】
各切替モード選択部２５ｉは、各手動切替制御部２４ｉによりそれぞれ生成された制御信号および自動切替制御部２２により生成された制御信号のいずれかを、伝送路切替部２１ｉ毎に供給する。すなわち、切替モード選択部２５ａ〜２５ｄを適宜操作することにより、伝送路切替部２１ａ〜２１ｄに供給される制御信号は、伝送路切替部２１ｉ毎に、手動切替制御部２４ｉにより生成された制御信号および自動切替制御部２２により生成された制御信号のいずれかに選択される。したがって、１組の現用系伝送路１０１ａ，１０１ｂの回線および予備系伝送路１０２ａ，１０２ｂの回線毎に、回線の接続状態が、自動切替制御部２２により自律的に決定された接続状態、または、ユーザにより決定された接続状態に設定される。その他の動作については、実施の形態３によるものと同様であるので、その説明を省略する。
【００４１】
以上のように、この実施の形態４によれば、実施の形態２による効果が得られるとともに、ユーザが手動切替制御部２４ａ〜２４ｄにより回線毎に接続状態を設定することができ、回線毎に異なる保守作業を実施することができ、全体として保守作業を迅速に実施することができるという効果が得られる。
【００４２】
実施の形態５．
図６は、この発明の実施の形態５による伝送路切替制御装置の構成を示すブロック図である。図において、３１ａ〜３１ｄは、１組の現用系伝送路１０１ａ，１０１ｂの回線および予備系伝送路１０２ａ，１０２ｂの回線毎に設けられ、上述の伝送路切替部２１ａ〜２１ｄと同一の伝送路切替部（切替部）２１、自動切替制御部２２、手動切替制御部２４および切替モード選択部２５をそれぞれ有する伝送路切替モジュールである。その他の構成要素については、実施の形態１のもの（図１）と同様であるので、その説明を省略する。
【００４３】
次に動作について説明する。
この実施の形態５においては、現用系伝送路１０１ａ，１０１ｂおよび予備系伝送路１０２ａ，１０２ｂの各１回線を１組として、１組毎に伝送路切替モジュール３１ａ〜３１ｄが設けられている。障害検出手段１４からの障害情報が伝送路切替モジュール３１ａ〜３１ｄの自動切替制御部２２に供給され、監視制御用マルチプレクサ／デマルチプレクサ２３ａ，２３ｂからの切替情報が伝送路切替モジュール３１ａ〜３１ｄの自動切替制御部２２に供給される。
【００４４】
そして、各伝送路切替モジュール３１ｉ（ｉはａ〜ｄのいずれか）においては、自動切替制御部２２、手動切替制御部２４および切替モード選択部２５が実施の形態１のものと同様に動作し、伝送路切替部２１に、自動切替制御部２２による制御信号および手動切替制御部２４による制御信号のいずれかが供給される。したがって、実施の形態４のものと同様に、現用系伝送路１０１ａ，１０１ｂおよび予備系伝送路１０２ａ，１０２ｂの各１回線を１組として、１組毎に伝送路の接続状態が、自動切替制御部２２により自律的に決定された接続状態、または、ユーザにより決定された接続状態に設定される。その他の動作については、実施の形態１によるものと同様であるので、その説明を省略する。
【００４５】
以上のように、この実施の形態５によれば、実施の形態４と同様に、ユーザが手動切替制御部２４ａ〜２４ｄにより回線毎に接続状態を設定することができ、回線毎に異なる保守作業を実施することができ、全体として保守作業を迅速に実施することができるという効果が得られる。
【００４６】
実施の形態６．
図７は、この発明の実施の形態６による伝送路切替制御装置の構成を示すブロック図である。図において、２６ａは、伝送路切替モジュール３１ａ〜３１ｄの受信側の現用系伝送路１０１ａに設けられ、各伝送路切替モジュール３１ｉ（ｉはａ〜ｄのいずれか）に接続される回線毎に伝送状態を監視し、回線に障害が発生した場合に、その回線に接続される伝送路切替モジュール３１ｉに対応する障害検出手段１４ｉに、その回線に障害が発生した旨を通知する障害監視部（監視手段）であり、２６ｂは、伝送路切替モジュール３１ａ〜３１ｄの受信側の予備系伝送路１０２ａに設けられ、各伝送路切替モジュール３１ｉに接続される回線毎に伝送状態を監視し、回線に障害が発生した場合に、その回線に接続される伝送路切替モジュール３１ｉに対応する障害検出手段１４ｉに、その回線に障害が発生した旨を通知する障害監視部（監視手段）である。
【００４７】
２６ｃは、伝送路切替モジュール３１ａ〜３１ｄの受信側の現用系伝送路１０１ｂに設けられ、各伝送路切替モジュール３１ｉに接続される回線毎に伝送状態を監視し、回線に障害が発生した場合に、その回線が接続される伝送路切替モジュール３１ｉに対応する障害検出手段１４ｉに、その回線に障害が発生した旨を通知する障害監視部（監視手段）であり、２６ｄは、伝送路切替モジュール３１ａ〜３１ｄの受信側の予備系伝送路１０２ｂに設けられ、各伝送路切替モジュール３１ｉに接続される回線毎に伝送状態を監視し、回線に障害が発生した場合に、その回線が接続される伝送路切替モジュール３１ｉに対応する障害検出手段１４ｉに、その回線に障害が発生した旨を通知する障害監視部（監視手段）である。
【００４８】
１４ａ〜１４ｄは、監視制御用マルチプレクサ／デマルチプレクサ２３ａ，２３ｂを介して供給される監視制御用信号や障害監視部２６ａ〜２６ｄからの通知に基づいて障害情報を生成し、伝送路切替モジュール３１ａ〜３１ｄにそれぞれ供給する障害検出手段である。その他の構成要素については、実施の形態５のもの（図６）と同様であるので、その説明を省略する。
【００４９】
次に動作について説明する。
障害監視部２６ａ〜２６ｄは、伝送路切替モジュール３１ａ〜３１ｄに接続される現用系伝送路１０１ａ，１０１ｂおよび予備系伝送路１０２ａ，１０２ｂの状態を、各伝送路切替モジュール３１ｉに接続される回線毎に監視し、回線に障害が発生した場合に、その回線に接続される伝送路切替モジュール３１ｉに対応する障害検出手段１４ｉに、その回線に障害が発生した旨を通知する。
【００５０】
障害検出手段１４ａ〜１４ｄは、監視制御用マルチプレクサ／デマルチプレクサ２３ａ，２３ｂを介して供給される監視制御用信号や障害監視部２６ａ〜２６ｄからの通知に基づいて障害情報を生成し、伝送路切替モジュール３１ａ〜３１ｄにそれぞれ供給する。その他の動作については、実施の形態５のものと同様であるので、その説明を省略する。
【００５１】
以上のように、この実施の形態６によれば、各伝送路切替モジュール３１ｉに接続される回線毎に現用系伝送路を監視するようにしたので、障害が発生していない回線については不要な切替動作が発生せず、障害発生時の回線の信頼性がより向上することができるという効果が得られる。
【００５２】
実施の形態７．
図８は、この発明の実施の形態７による伝送路切替制御装置の構成を示すブロック図である。この実施の形態７においては、現用系伝送路１０１ｃ，１０１ｄの回線数が予備系伝送路１０２ｃ，１０２ｄの回線数より多くなっている。図において、４１は伝送路切替部である。伝送路切替部４１において、１はＴＳＡ部であり、２はパススルー手段であり、３ａ〜３ｆは現用系伝送路１０１ｃ，１０１ｄの各回線に設けられたスイッチ手段であり、４ａ，４ｂは予備系伝送路１０２ｃ，１０２ｄの各回線に設けられたブリッジ手段である。なお、ＴＳＡ部１、パススルー手段２、スイッチ手段３ａ〜３ｆおよびブリッジ手段４ａ，４ｂは、それぞれ実施の形態１におけるＴＳＡ部１、パススルー手段２ａ，２ｂ、スイッチ手段３ａ，３ｂおよびブリッジ手段４ａ，４ｂとそれぞれ同様に動作する。
【００５３】
２７ａ〜２７ｆは、伝送路切替部４１の現用系伝送路１０１ｃ，１０１ｄの各回線に設けられ、伝送路の状態を監視し、伝送路に障害が発生した場合に、現用系伝送路１０１ｃ，１０１ｄにおいて障害が発生した旨を障害検出手段１４に通知する障害監視部であり、２７ｇおよび２７ｈは、伝送路切替部４１の予備系伝送路１０２ｃ，１０２ｄの各回線に設けられ、伝送路の状態を監視し、伝送路に障害が発生した場合に、予備系伝送路１０２ｃ，１０２ｄにおいて障害が発生した旨を障害検出手段１４に通知する障害監視部である。
【００５４】
２８は、障害発生時の救済についての現用系伝送路１０１ｃ，１０１ｄの各回線の優先順位を記憶する回線優先順位設定手段であり、２９は、障害検出手段１４からの障害情報および回線優先順位設定手段２８に記憶されている現用系伝送路１０１ｃ，１０１ｄの各回線の優先順位に基づいて、障害が発生した回線のうち、優先順位の高い方を優先的に、予備系伝送路１０２ｃ，１０２ｄへ切り替える回線として選択し、選択した回線の情報を自動切替制御部２２に供給する回線優先順位判断手段である。その他の構成要素については、実施の形態１のもの（図１）と同様であるので、その説明を省略する。
【００５５】
次に動作について説明する。
障害監視部２７ａ〜２７ｆは、回線に障害が発生した場合に、その回線に障害が発生した旨を障害検出手段１４に通知する。障害検出手段１４は、障害が発生した回線の情報を障害情報として回線優先順位判断手段２９に出力する。回線優先順位判断手段２９は、障害が発生した回線数が、予備系伝送路１０２ｃ，１０２ｄの残り回線数（すなわち、空きの回線数）より多い場合、障害が発生した回線の優先順位を回線優先順位設定手段２８から読み出し、障害が発生した回線のうちの、優先順位の高い方から予備系伝送路１０２ｃ，１０２ｄの回線数と同数の回線を選択し、その回線の情報を自動切替制御部２２に供給する。
【００５６】
そして、自動切替制御部２２は、回線優先順位判断手段２９により選択された回線を切り替えるための制御信号を生成し、切替モード選択部２５に出力する。その他の動作については、実施の形態１のものと同様であるので、その説明を省略する。
【００５７】
以上のように、この実施の形態７によれば、現用系伝送路の回線数が予備系伝送路の回線数より多い場合に、現用系伝送路の各回線に対して優先順位を予め設定しておき、複数の回線に同時に障害が発生したときに優先順位の高い回線を優先的に予備系伝送路の回線へ切り替えるようにしたので、重要な回線の優先順位を高く設定しておくことで、現用系伝送路の回線数が予備系伝送路の回線数より多い場合にも重要な回線が不通になることを抑制することができ、回線の信頼性を向上することができるという効果が得られる。
【００５８】
なお、実施の形態７においては、現用系伝送路１０１ｃ，１０１ｄの回線数を３、予備系伝送路１０２ｃ，１０２ｄの回線数を１としたが、現用系伝送路１０１ｃ，１０１ｄの回線数が予備系伝送路１０２ｃ，１０２ｄの回線数より多ければ、他の回線数でもよい。
【００５９】
実施の形態８．
実施の形態７においては、障害が発生した回線数が、予備系伝送路１０２ｃ，１０２ｄの残り回線数より多い場合、障害が発生した回線のうちの、優先順位の高い方から予備系伝送路１０２ｃ，１０２ｄの回線数と同数の回線を選択しているが、実施の形態８においては、既に予備系伝送路の回線に切り替えられている回線および今回障害が発生した回線のうち、優先順位の高い方の回線を予備系伝送路の回線に割り当てるようにする。この場合、既に予備系伝送路の回線に切り替えられている回線が、今回、予備系伝送路の回線を割り当てられなかった場合、その回線の接続状態は、切り替えられる前の接続状態に戻される。
【００６０】
以上のように、この実施の形態８によれば、既に予備系伝送路の回線に切り替えられている回線のうちの優先順位の低いものを元の接続状態に戻して、優先順位の高い回線が予備系伝送路の回線に切り替えられるようにしたので、現用系伝送路の回線数が予備系伝送路の回線数より多い場合にも重要な回線が不通になることをより抑制することができ、回線の信頼性を向上することができるという効果が得られる。
【００６１】
【発明の効果】
以上のように、この発明によれば、隣接する伝送路切替装置における回線切替に関する情報、および回線で発生した障害の情報の少なくとも一方に基づいて第１の制御信号を生成し、ユーザにより設定される各伝送路の各回線の接続状態に基づいて第２の制御信号を生成し、第１の制御信号および第２の制御信号のいずれかを選択し、選択した制御信号に従って各伝送路の各回線の接続状態を設定するようにしたので、保守作業時には、ユーザにより設定された接続状態に固定することにより、迅速に保守作業を実行することができるようにし、障害が継続する時間を低減して回線の信頼性を向上させることができるという効果がある。
【００６２】
この発明によれば、第１の制御部により、現用系伝送路の回線および予備系伝送路の回線のうちの所定の数の現用系伝送路の回線と所定の数の予備系伝送路の回線に対する制御信号を切替部に直接供給するとともに、残りの回線に対する制御信号を制御信号供給部に出力するようにしたので、接続状態の固定が必要な回線についてだけユーザが接続状態を設定することができ、他の伝送路において不要な切替動作が発生せず、障害発生時の回線の信頼性がより向上することができるという効果がある。
【００６３】
この発明によれば、第２の制御部により回線ごとに制御信号を生成するようにしたので、回線毎に異なる保守作業を実施することができ、全体として保守作業を迅速に実施することができるという効果がある。
【００６４】
この発明によれば、１組の現用系伝送路の回線および予備系伝送路の回線ごとに、切替部、第１の制御部、第２の制御部および制御信号供給部を設けるようにしたので、回線毎に異なる保守作業を実施することができ、全体として保守作業を迅速に実施することができるという効果がある。
【００６５】
この発明によれば、第１の制御部により、隣接する他の伝送路切替装置における回線切替の情報を受け取り、その情報に基づいて回線ごとに制御信号を生成するようにしたので、障害が発生していない回線については不要な切替動作が発生せず、障害発生時の回線の信頼性がより向上することができるという効果がある。
【００６６】
この発明によれば、送信側の伝送路に障害が発生したか否かを回線ごとに監視し、第１の制御部により、障害の有無に基づいて回線ごとに制御信号を生成するようにしたので、障害が発生していない回線については不要な切替動作が発生せず、障害発生時の回線の信頼性がより向上することができるという効果がある。
【００６７】
この発明によれば、現用系伝送路の回線のうちの複数の回線に障害が発生した場合、第１の制御部により、各回線に対して予め設定される優先順位に基づいて、優先順位の高い回線を優先して切り替えるための制御信号を生成するように構成したので、重要な回線の優先順位を高く設定しておくことで、現用系伝送路の回線数が予備系伝送路の回線数より多い場合にも重要な回線が不通になることを抑制することができ、回線の信頼性を向上することができるという効果がある。
【００６８】
この発明によれば、予備系伝送路の回線がすべて使用されている状態で、さらに現用系伝送路の回線において障害が発生した場合、予備伝送路の回線に既に切り替えられている現用系伝送路の回線であり、かつ障害が発生した現用系伝送路の回線より優先順位が低い回線のうちで最も優先順位の低いものが切り替えられている予備系伝送路の回線に、その最も優先順位の低い回線の代わりに、障害が発生した現用系伝送路を切り替えるための制御信号を第１の制御部が生成するようにしたので、重要な回線の優先順位を高く設定しておくことで、現用系伝送路の回線数が予備系伝送路の回線数より多い場合にも重要な回線が不通になることをより抑制することができ、回線の信頼性を向上することができるという効果がある。
【図面の簡単な説明】
【図１】この発明の実施の形態１による伝送路切替制御装置の構成を示すブロック図である。
【図２】実施の形態１による伝送路切替制御装置における伝送路切替部および自動切替制御部の詳細な構成例を示すブロック図である。
【図３】この発明の実施の形態２による伝送路切替制御装置の構成を示すブロック図である。
【図４】この発明の実施の形態３による伝送路切替制御装置の構成を示すブロック図である。
【図５】この発明の実施の形態４による伝送路切替制御装置の構成を示すブロック図である。
【図６】この発明の実施の形態５による伝送路切替制御装置の構成を示すブロック図である。
【図７】この発明の実施の形態６による伝送路切替制御装置の構成を示すブロック図である。
【図８】この発明の実施の形態７による伝送路切替制御装置の構成を示すブロック図である。
【図９】従来の伝送路切替制御装置の構成を示すブロック図である。
【符号の説明】
２１，２１ａ〜２１ｄ  伝送路切替部（切替部）、２２  自動切替制御部（第１の制御部）、２４，２４ａ〜２４ｄ  手動切替制御部（第２の制御部）、２５，２５ａ〜２５ｄ  切替モード選択部（制御信号供給部）、２６ａ〜２６ｄ  障害監視部（監視手段）、１０１ａ〜１０１ｄ  現用系伝送路、１０２ａ〜１０２ｄ  予備系伝送路。
【図１】
0003623404.tif 000002
【図２】
0003623404.tif 000003
【図３】
0003623404.tif 000004
【図４】
0003623404.tif 000005
【図５】
0003623404.tif 000006
【図６】
0003623404.tif 000007
【図７】
0003623404.tif 000008
【図８】
0003623404.tif 000009
【図９】
0003623404.tif 000010